(57)【要約】【課題】スプールから釣糸が放出される周期の検出結果を利用してキャスティングの評価を行うにあたり、簡易な構成でありながら、評価結果について実用に足る精度が得られるようにする。【解決手段】魚釣用リールのスプールから釣糸が放出されることに応じて発生する振動または音を検出するセンサの出力に基づき、振動または音の周波数を導出する周波数導出部と、周波数導出部により導出された周波数に基づいて、キャスティングに関する所定の評価項目についての評価を行うキャスティング評価部とを備えてキャスティング評価装置を構成する。【選択図】図４
2020068736.tif 000002
【特許請求の範囲】
【請求項１】
魚釣用リールのスプールから釣糸が放出されることに応じて発生する振動または音を検出するセンサの出力に基づき、前記振動または音の周波数を導出する周波数導出部と、
前記周波数導出部により導出された周波数に基づいて、キャスティングに関する所定の評価項目についての評価を行うキャスティング評価部と
を備えるキャスティング評価装置。
【請求項２】
前記キャスティング評価部による評価結果に関する報知を行う報知部をさらに備える
請求項１に記載のキャスティング評価装置。
【請求項３】
前記キャスティング評価部は、
前記スプールからの釣糸の放出が開始されたタイミングに応じて前記周波数導出部により導出された周波数と、前記スプールの径とに基づいて、前記釣糸の放出が開始されたタイミングでの釣糸の放出速度を算出し、算出された放出速度を評価結果として出力する
請求項１または２に記載のキャスティング評価装置。
【請求項４】
前記キャスティング評価部は、
前記スプールからの釣糸の放出が開始されてから前記釣糸の放出が終了されるまでにおける放出期間において前記周波数導出部により導出された周波数と、前記スプールの径とに基づいて、前記放出期間において放出された前記釣糸の長さを算出し、算出された釣糸の長さを評価結果として出力する
請求項１から３のいずれか一項に記載のキャスティング評価装置。
【請求項５】
キャスティング評価装置としてのコンピュータを、
魚釣用リールのスプールから釣糸が放出されることに応じて発生する振動または音を検出するセンサの出力に基づき、前記振動または音の周波数を導出する周波数導出部、
前記周波数導出部により導出された周波数に基づいて、キャスティングに関する所定の評価項目についての評価を行うキャスティング評価部
として機能させるためのキャスティング評価プログラム。
【発明の詳細な説明】
【技術分野】
【０００１】
本発明は、キャスティング評価装置及びキャスティング評価プログラムに関する。
【背景技術】
【０００２】
スピニングリールのスプールからの釣糸の放出量やスプールへの釣糸の巻き取り量を検出する糸検出装置として以下の技術が知られている。つまり、釣竿に赤外線センサーを設けるともに、スピニングリールのスプールに反射体を設け、赤外線センサーから放射された赤外線が反射体にて反射されて赤外線センサーに戻るようにする。糸検出装置は、赤外線センサーの出力に基づいて釣糸が赤外線を遮断した回数を検出し、検出された回数に基づいて、スプールからの釣糸の放出量やスプールへの釣糸の巻き取り量を検出する（例えば、特許文献１）。
【先行技術文献】
【特許文献】
【０００３】
【特許文献１】特開２００１−３２１０４２号公報
【発明の概要】
【発明が解決しようとする課題】
【０００４】
例えばスプールから釣糸が放出される周期の検出結果を利用してキャスティングの評価を行うようにすることが考えられる。この場合、特許文献１の技術では、釣糸を巻き取る場合のように釣糸が赤外線を遮断する周期が長い場合には、釣糸の放出量もしくは巻き取り量を正確に演算することが可能である。一方、キャスティング時のように、釣糸が赤外線を遮断する周期が短い場合には、釣糸の放出量もしくは巻き取り量の演算精度が著しく低くなる。このため、特許文献１の技術をキャスティングの評価を適用しても、評価結果について実用に足る精度を得ることは難しい。特許文献１の技術のもとで、高い演算精度を維持するには、例えば高感度の赤外線センサーや高性能な演算機能が要求される。
【０００５】
本発明は、スプールから釣糸が放出される周期の検出結果を利用してキャスティングの評価を行うにあたり、簡易な構成でありながら、評価結果について実用に足る精度が得られるようにすることを目的とする。
【課題を解決するための手段】
【０００６】
上述した課題を解決するための本発明の一態様は、魚釣用リールのスプールから釣糸が放出されることに応じて発生する振動または音を検出するセンサの出力に基づき、前記振動または音の周波数を導出する周波数導出部と、前記周波数導出部により導出された周波数に基づいて、キャスティングに関する所定の評価項目についての評価を行うキャスティング評価部とを備えるキャスティング評価装置である。
上記構成によれば、スプールから釣糸が放出されることに応じて発生する振動または音を検出するセンサを魚釣用リールに設けるという簡易な構成のもとで、実用に十分な精度でキャスティングに関する評価を行うことが可能になる。
【０００７】
また、本発明の一態様は、上記のキャスティング評価装置であって、前記キャスティング評価部による評価結果に関する報知を行う報知部をさらに備える。
上記構成によれば、キャスティングに関する評価結果をユーザが把握できる。
【０００８】
また、本発明の一態様は、上記のキャスティング評価装置であって、前記キャスティング評価部は、前記スプールからの釣糸の放出が開始されたタイミングに応じて前記周波数導出部により導出された周波数と、前記スプールの径とに基づいて、前記釣糸の放出が開始されたタイミングでの釣糸の放出速度を算出し、算出された放出速度を評価結果として出力する。
上記構成によれば、キャスティングにより仕掛けが放出されたときの初速度を評価することができる。
【０００９】
また、本発明の一態様は、上記のキャスティング評価装置であって、前記キャスティング評価部は、前記スプールからの釣糸の放出が開始されてから前記釣糸の放出が終了されるまでにおける放出期間において前記周波数導出部により導出された周波数と、前記スプールの径とに基づいて、前記放出期間において放出された前記釣糸の長さを算出し、算出された釣糸の長さを評価結果として出力する。
上記構成によれば、キャスティングにより飛ばされた仕掛けの飛距離を評価することが可能になる。
【００１０】
また、本発明の一態様は、キャスティング評価装置としてのコンピュータを、魚釣用リールのスプールから釣糸が放出されることに応じて発生する振動または音を検出するセンサの出力に基づき、前記振動または音の周波数を導出する周波数導出部、前記周波数導出部により導出された周波数に基づいて、キャスティングに関する所定の評価項目についての評価を行うキャスティング評価部として機能させるためのキャスティング評価プログラムである。
【発明の効果】
【００１１】
以上説明したように、本発明によれば、スプールから釣糸が放出される周期の検出結果を利用してキャスティングの評価を行うにあたり、簡易な構成でありながら、評価結果について実用に足る精度が得られるようになるという効果が得られる。
【図面の簡単な説明】
【００１２】
【図１】第１実施形態におけるキャスティング評価システムの全体的な構成例を示す図である。
【図２】第１実施形態におけるセンサユニットとユーザ端末装置の構成例を示す図である。
【図３】第１実施形態における総振動数の算出手法例を説明する図である。
【図４】第１実施形態におけるユーザ端末装置が実行する処理手順例を示すフローチャートである。
【図５】第２実施形態におけるキャスティング評価システムの全体的な構成例を示す図である。
【発明を実施するための形態】
【００１３】
＜第１実施形態＞
図１は、本実施形態のキャスティング評価システムの全体的な構成例を示している。同図においては、魚釣用リールとしてスピニングリールが使用される場合を例に挙げている。
【００１４】
同図においては、釣竿４００の竿本体部４０１に設けられたリール取付台座（リールシート）４０２に対してスピニングリール３００が取り付けられた状態が示されている。
【００１５】
センサユニット１００は、スプール３０１から釣糸が放出されることに応じて発生する振動を検出可能なように所定位置に設けられる。同図では、センサユニット１００がスプール３０１におけるドラグノブの位置に取り付けられた例を示している。
【００１６】
キャスティングが行われたことによりスプール３０１から釣糸が放出されることに応じて発生する振動は、スプール３０１から釣り糸が引き出される１周ごとに対応して周期的に生じる。このため、センサユニット１００が検出する振動は、スプール３０１から釣糸が引き出される速度に応じた周期（周波数）を有するものとなる。
【００１７】
センサユニット１００は、スピニングリール３００の所定位置に対して後付けで取り付けが可能な態様であってもよい。あるいは、センサユニット１００は、スピニングリール３００としての製品における一部品として、スピニングリール３００に予め設けられていてもよい。
【００１８】
センサユニット１００は、振動についての検出結果を示す検出信号をユーザ端末装置２００（キャスティング評価装置の一例）に送信する。同図では、センサユニット１００とユーザ端末装置２００との通信が無線で行われる例を示している。センサユニット１００とユーザ端末装置２００との間での無線通信の方式は、特に限定されないが、例えばＢｌｕｅｔｏｏｔｈ（登録商標）等を挙げることができる。
センサユニット１００とユーザ端末装置２００との通信は、ケーブルを経由した有線であってもよい。
【００１９】
ユーザ端末装置２００は、ユーザが所持する端末装置である。同図において、ユーザ端末装置２００は、例えばスマートフォン等の携帯型の端末装置である例を示している。このようなスマートフォン等としてのユーザ端末装置２００には、本実施形態のキャスティング評価システムに対応するアプリケーションソフトウェア（キャスティング評価アプリケーション）がインストールされる。
なお、ユーザ端末装置２００は、例えば本実施形態のキャスティング評価に特化された専用の端末であってもよい。
【００２０】
図２は、センサユニット１００とユーザ端末装置２００の構成例を示している。
同図のセンサユニット１００は、センサ１０１と通信部１０２とを備える。
センサ１０１は、振動を検出する。センサ１０１は、例えば加速度センサや圧電素子を備えることにより振動を検出可能に構成されてよい。
通信部１０２は、ユーザ端末装置２００と無線による通信を実行する。
【００２１】
ユーザ端末装置２００は、通信部２０１、制御部２０２、表示部２０３、操作部２０４、及び記憶部２０５を備える。
通信部２０１は、センサユニット１００の通信部１０２と無線による通信を実行する。
【００２２】
制御部２０２は、本実施形態のキャスティング評価に関する制御を実行する。制御部２０２としての機能は、ユーザ端末装置２００において備えられるＣＰＵ（Central Processing Unit）が、例えばインストールされたリール制動調整アプリケーションソフトウェアとしてのプログラムをインストールすることによって実現される。
同図の制御部２０２は、周波数導出部２２１、キャスティング評価部２２２、及び報知部２２３を備える。
【００２３】
周波数導出部２２１は、スプール３０１から釣糸が放出されることに応じて発生する振動を検出するセンサ１０１の出力に基づき、振動の周波数を導出する。つまり、センサユニット１００のセンサ１０１は、振動の検出に応じた検出信号を通信部１０２に出力する。通信部１０２は、入力された検出信号をユーザ端末装置２００に送信する。ユーザ端末装置２００の通信部２０１は、送信された検出信号を受信する。周波数導出部２２１は、受信された検出信号を取得する。周波数導出部２２１は、取得した検出信号が示す振動の周波数を導出する。
【００２４】
キャスティング評価部２２２は、周波数導出部２２１により導出された周波数に基づいて、キャスティングに関する所定の評価項目についての評価を行う。具体的に、本実施形態におけるキャスティングに関する評価項目としては、キャスティング初速度と、飛距離となる。
キャスティング初速度は、ユーザがキャスティングを行ったことでスプールから釣糸の放出が開始された際の釣糸の放出速度（即ち、釣糸に連結された仕掛けの飛行速度の初速度）である。
飛距離は、ユーザがキャスティングを行ったことにより放出された釣糸の長さである。本実施形態において、放出された釣糸の長さは、釣糸に連結された仕掛けの飛距離として扱われる。
キャスティング評価部２２２は、キャスティング初速度と飛距離とを算出し、算出したキャスティング初速度と飛距離の情報をキャスティング評価の結果として出力する。
【００２５】
キャスティング評価部２２２は、キャスティング初速度については以下のように算出してよい。
つまり、キャスティング評価部２２２は、周波数導出部２２１は、キャスティングが行われたことに応じて釣糸の放出が開始されたタイミングに対応する検出信号に基づいて導出された周波数（放出開始時周波数）を入力する。周波数導出部２２１は、放出開始時周波数をＦｓ（Ｈｚ）、スプール３０１の糸が巻かれた状態の直径（スプール径）の代表値（スプール径代表値）をＳ１（ｍｍ）として、以下の式１によりキャスティング初速度Ｖｓｔ（ｋｍ／ｈ）を算出する。
Ｖｓｔ＝Ｆｓ×Ｓ１π×３６００／１００００００・・・（式１）
なお、この場合のスプール径代表値Ｓ１は、例えばスプール３０１に所定長の釣糸が巻かれている状態におけるスプール３０１の糸巻部分の半径の値であってよい。
一具体例として、ユーザは、メーカーが定めた標準糸巻量に従ってスプール３０１に釣糸を巻いていることが多い。この場合、釣糸放出期間の開始時においては、スプール３０１にはほぼ標準糸巻量に対応する釣糸が巻かれている状態であることになる。そこで、キャスティング初速度の算出に用いるスプール径代表値Ｓ１としては、標準糸巻量に対応する釣糸が巻かれた状態のスプール３０１の糸巻部分の半径（スプール径）を適用してよい。
【００２６】
キャスティング評価部２２２は、式１によりキャスティング初速度Ｖｓｔを算出するにあたり、スプール径代表値Ｓ１については記憶部２０５から取得してよい。
この場合、ユーザは、ユーザ端末装置２００にキャスティング評価を行わせるのに先立って、キャスティング評価アプリケーションに対してスプール径代表値Ｓ１を設定しておくようにする。例えば、ユーザは、自分でスプール径代表値Ｓ１に対応する数値を入力する操作を行うことで、スプール径代表値Ｓ１を設定することができる。このように設定されたスプール径代表値Ｓ１が記憶部２０５に記憶される。
スプール径代表値Ｓ１をユーザが入力するにあたっては、例えば、上記のように標準糸巻量に対応するスプール径を入力するようにしてよい。標準糸巻量に対応するスプール径は、例えばスピニングリール３００のメーカーが公開している値であってもよいし、ユーザが自分で計測した値であってもよい。
あるいは、キャスティング評価アプリケーション上で、スピニングリールの機種のリストのうちから自分が使用するスピニングリールを選択する操作をユーザが行うことに応じて、選択されたスピニングリールに対応するスプール径代表値Ｓ１が設定されるようにしてもよい。
また、例えば、スピニングリール３００がセンサユニット１００をはじめから部品の１つとして備える製品とされている場合には、センサユニット１００にスプール径代表値Ｓ１を記憶させおくようにしてよい。そのうえで、センサユニット１００が、ユーザ端末装置２００との通信が可能となったことに応じてユーザ端末装置２００にスプール径代表値Ｓ１を送信することで、ユーザ端末装置２００にてスプール径代表値Ｓ１が設定されるようにしてもよい。
【００２７】
また、キャスティング評価部２２２は、飛距離については以下のように算出してよい。キャスティング評価部２２２は、まず、キャスティングに対応して釣糸が放出される期間（釣糸放出期間）における総振動数Ｎを算出する。
このために、キャスティング評価部２２２は、釣糸放出期間の時間長Ｔｒ（ｓｅｃ）と、釣糸放出開始時の周波数（放出開始時周波数）Ｆｓと、釣糸の放出が終了される直前のタイミングにおける周波数（放出終了時周波数）Ｆｅとを取得する。
図３（Ａ）は、釣糸放出期間に対応する、時間長Ｔｒ、周波数Ｆｓ、周波数Ｆｅの関係を示している。
キャスティング評価部２２２は、釣糸放出期間に応じて、検出信号の波形パターンが振動に応じた有意な状態が開始されてから終了するまでの時間を計測することにより釣糸放出期間の時間長Ｔｒを取得してよい。
また、キャスティング評価部２２２は、周波数導出部２２１が釣糸放出期間に対応して導出した周波数のうち、最初に導出された周波数と、最後に導出された周波数とを取得することにより、放出開始時周波数Ｆｓと放出終了時周波数Ｆｅとを取得してよい。
釣糸放出期間において、周波数は、釣糸放出開始時を最大として徐々に低くなっていき、釣糸の放出が終了される直前のタイミングで最小となるように変化する。従って、キャスティング評価部２２２は、釣糸放出期間における総振動数Ｎは、以下の式２により算出することができる。
Ｎ＝（Ｆｓ＋Ｆｅ）／２×Ｔｒ・・・（式２）
【００２８】
上記式２により算出される総振動数Ｎは、図３（Ａ）に例示したように、釣糸放出期間の時間経過における単位時間ごとの周波数の減少量がほぼ等しいような場合には、一定以上の精度を得ることができる。投げ釣りなどでのキャスティングの場合には、このように時間経過における単位時間ごとの周波数の減少量がほぼ等しくなる傾向にある。
【００２９】
しかしながら、図３（Ｂ）に例示するように、釣糸放出期間の初期段階で大きく減衰するようにして周波数が変化する場合がある。例えば仕掛けに空気抵抗の大きいルアーを用いるような釣りでのキャスティングの場合にこのような周波数の変化となる傾向がある。図３（Ｂ）のような周波数の変化が顕著であるほど、式２による演算では、算出される総振動数Ｎの誤差が大きくなる。
そこで、総振動数Ｎについては、釣糸放出期間の開始時点から一定時間ｄｔの経過ごとに応じて区分される区分期間Ｐｋごとの区分振動数をＮｋ（１≦ｋ≦ｎ）、区分期間Ｐｋの開始時と終了時に対応する周波数をそれぞれＦｋ、Ｆｋ＋１として、以下の式３、４により算出するようにされてよい。
Ｎ＝Ｎ１＋Ｎ２＋・・＋Ｎｎ−１＋Ｎｎ・・・（式３）
Ｎｋ＝（Ｆｋ＋Ｆｋ＋１）／２×ｄｔ・・・（式４）
この場合において、一定時間ｄｔについては、最終的に算出される飛距離の誤差が要求される水準以内に収まるようにすることを考慮して設定されてよい。
式３、４を採用した演算のほうが算出される総振動数Ｎの精度が高いことから、本実施形態のキャスティング評価部２２２としては、式３、４を採用して総振動数Ｎの算出を行うようにしてよい。しかしながら、例えば、簡易的に飛距離を求めればよいような場合には、式２を採用して総振動数Ｎの算出を行うようにしてよい。式２を採用した場合には演算の処理負荷の軽減を図ることが可能になる。
【００３０】
そのうえで、キャスティング評価部２２２は、式２、または式３、４により算出された総振動数Ｎと、スプール径代表値Ｓ２とを利用して、以下の式５により飛距離Ｄ（ｍ）を算出する。
Ｄ＝Ｎ×Ｓ２π／１０００・・・（式５）
【００３１】
飛距離Ｄの算出に利用するスプール径代表値Ｓ２については、以下のように、スプール径代表値Ｓ１と異なる値が設定されてよい。
実際のスプール径は、キャスティングにより釣糸が放出されていくことに応じて小さくなっていく。このため、スプール径代表値Ｓ２については、標準糸巻量に対応するスプール径よりも小さい所定の値を適用したほうが高い精度を期待できる。そこで、スプール径代表値Ｓ２については、標準糸巻量と、標準糸巻量よりも少ない所定の糸巻量との中間値（例えば平均値）としてもよい。
このようなスプール径代表値Ｓ２も、例えば、メーカーから提供される数値をユーザが入力する操作を行うことで設定されるようにしてもよい。
あるいは、キャスティング評価アプリケーション上で、スピニングリールの機種のリストのうちから自分が使用するスピニングリールを選択する操作をユーザが行うことに応じて、選択されたスピニングリールに対応するスプール径代表値Ｓ２が設定されるようにしてもよい。
また、例えばスピニングリール３００がセンサユニット１００をはじめから部品の１つとして備える製品とされている場合には、センサユニット１００に記憶されたスプール径代表値Ｓ２をユーザ端末装置２００が受信したうえで設定するようにしてよい。
【００３２】
キャスティング評価部２２２は、上記のように算出されたキャスティング初速度Ｖｓｔと飛距離Ｄとを評価結果として出力することができる。
なお、上記のように算出されるキャスティング初速度Ｖｓｔと飛距離Ｄは、例えばスプール径に代表値を用いたりしているため、実際のキャスティング初速度、飛距離に対してある程度の誤差は生じ得る。しかしながら、本願の発明者により、上記のようにキャスティング評価部２２２が算出するキャスティング初速度Ｖｓｔ、飛距離Ｄと、実際のキャスティング初速度、飛距離との誤差は、実用上問題がない程度であることが確認されている。具体的に、飛距離に関しては、１７０ｍ前後の実際の飛距離に対して、算出された飛距離Ｄの誤差が数メートル程度であった。
【００３３】
報知部２２３は、キャスティング評価部２２２により得られたキャスティングに関する評価結果を報知する。具体的に、キャスティング評価部２２２は、算出されたキャスティング初速度Ｖｓｔと飛距離Ｄとについて、所定の態様で表示部２０３にて表示させる。
なお、例えば、ユーザの操作により、キャスティング初速度、飛距離の目標値を設定可能なようにされてよい。そのうえで、報知部２２３は、算出されたキャスティング初速度Ｖｓｔ、飛距離Ｄの目標値に対する乖離の度合いを所定の態様で表したり、乖離の度合いに応じたメッセージ等をユーザに提示するような表示を行ってもよい。
【００３４】
表示部２０３は、制御部２０２の制御に応じて表示を行う。
操作部２０４は、ユーザ端末装置２００が備えるボタン等の操作子や、ユーザ端末装置２００が備える操作デバイス、ユーザ端末装置２００に接続される操作デバイス等を、一括して示す。例えば、表示部２０３がタッチパネルとして構成される場合、操作部２０４には、タッチパネルを構成するタッチパッド等のデバイスが含まれる。
記憶部２０５は、ユーザ端末装置２００に対応する各種の情報を記憶する。本実施形態において、記憶部２０５は、設定されたスプール径代表値Ｓ１、Ｓ２を記憶する。また、記憶部２０５は、センサユニット１００から送信された検出信号を記憶する。
【００３５】
図４のフローチャートを参照して、ユーザ端末装置２００が実行する処理手順例について説明する。
ステップＳ１０１：センサユニット１００からは、例えばセンサ１０１の検出信号が継続的にユーザ端末装置２００に対して送信される。ユーザ端末装置２００においては、通信部２０１にて受信される検出信号が周波数導出部２２１に対して入力される。周波数導出部２２１は、入力される検出信号を監視する。
周波数導出部２２１に入力される検出信号は、スプール３０１から釣糸が放出されない状態においては周期的に変化する波形パターンを示さないが、キャスティングに応じてスプール３０１から釣糸が放出されることにより、周期的に変化する波形パターンを示す。検出信号の周期的に変化する波形パターンは、周波数の導出に対応する有意な波形パターンである。
そこで、周波数導出部２２１は、監視している検出信号の波形パターンについて、有意でない状態から有意な状態に変化するのを待機する。
【００３６】
ステップＳ１０２：検出信号の波形パターンが有意な状態に変化したことに応じて、周波数導出部２２１は、記憶部２０５への検出信号の記憶を開始させる。
【００３７】
ステップＳ１０３：ステップＳ１０２の処理の後、周波数導出部２２１は、検出信号の有意な波形パターンが終了するのを待機する。検出信号の有意な波形パターンの終了は、キャスティングにより飛行した仕掛けが着水または着底などしたことに応じて、スプール３０１からの釣糸の放出が停止された状態に対応する。
ステップＳ１０４：検出信号の有意な波形パターンが終了したことに応じて、周波数導出部２２１は、ステップＳ１０２にて開始させた検出信号の記憶を終了させる。このようにして、記憶部２０５には１回のキャスティングに応じてスプール３０１から釣糸が放出された釣糸放出期間に対応する検出信号が記憶される。
【００３８】
ステップＳ１０５：周波数導出部２２１は、記憶部２０５に記憶された検出信号を利用して、釣糸放出期間の時系列における周波数を導出する。
【００３９】
ステップＳ１０６：キャスティング評価部２２２は、ステップＳ１０５により導出された釣糸放出期間の時系列における周波数のうち、釣糸放出期間の開始タイミングに対応する周波数（Ｆｓ）を利用して、例えば前述の式１を用いた演算によりキャスティング初速度を算出する。
【００４０】
ステップＳ１０７：また、キャスティング評価部２２２は、ステップＳ１０５により導出された釣糸放出期間の時系列における周波数（Ｆｓ、Ｆｅ）を利用して、前述の式１、式２を用いた演算により飛距離を算出する。
【００４１】
ステップＳ１０８：報知部２２３は、ステップＳ１０６により算出されたキャスティング初速度とステップＳ１０７により算出された飛距離が反映されたキャスティング評価情報を表示部２０３に表示させる。
【００４２】
＜第２実施形態＞
図５は、第２実施形態としてのキャスティング評価システムの全体的な構成例を示している。同図において、図１と同一部分には同一符号を付して説明を省略する。
本変形例では、センサユニット１００は、釣竿４００に対して設けられる。同図では、センサユニット１００は取付具１５０を介して釣竿４００に取り付けられた例が示されている。
キャスティングに応じてスプール３０１に巻回された釣糸が放出されることにより生じる振動は、スピニングリール３００が取り付けられた釣竿４００にも伝達する。従って、本変形例においても、センサユニット１００は、スプール３０１に巻回された釣糸が放出されることにより生じる振動を検出することができる。
【００４３】
本実施形態においても、センサユニット１００は、釣竿４００の所定位置に対して後付けで取り付けが可能な態様であってもよいし、釣竿４００としての製品における一部品として、釣竿４００に予め設けられていてもよい。また、センサユニット１００が設けられる釣竿４００の部位については、例えば竿尻の部分等をはじめ、特に限定されない。
【００４４】
＜変形例＞
以下、本実施形態の変形例について説明する。
なお、上記実施形態の説明では、スプール径代表値Ｓ１、Ｓ２についてそれぞれ異なる値を設定する場合について説明したが、スプール径代表値Ｓ１、Ｓ２については、キャスティング初速度Ｖｓｔと飛距離Ｄとの演算の精度について必要な水準を維持できるのであれば、同じ値を適用してよい。この場合、スプール径代表値を共通に利用できるので、キャスティング初速度Ｖｓｔと飛距離Ｄとの演算に関する処理をさらに簡易化できる。
【００４５】
なお、キャスティング評価部２２２は、飛距離Ｄの算出にあたり、釣糸放出期間の時間の進行に応じて式３に適用するスプール径代表値Ｓ２を変更してよい。このようにスプール径代表値Ｓ２を変更する場合には、スプール３０１に巻回された釣糸の太さをユーザ端末装置２００に設定する。例えばキャスティング評価アプリケーション上で、釣糸の種類（ナイロン、ＰＥ等）、号数あるいはポンド数等の釣糸の仕様を入力することにより、入力された仕様に応じた釣糸の太さが設定されるようにしてよい。
キャスティング評価部２２２は、例えば釣糸放出期間を一定の振動数ごとに対応する区間に区分し、区間ごとの釣糸の放出長と釣糸の太さとに基づいて、区間ごとに対応するスプール径の減少量を算出する。キャスティング評価部２２２は、算出されたスプール径の減少量に基づいて区間ごとのスプール径代表値Ｓ２を算出してよい。
【００４６】
なお、上記実施形態においては、キャスティング初速度と飛距離とのいずれの評価項目についても反映されたキャスティング評価画面を表示するようにされているが、キャスティング初速度と飛距離とのいずれか一方の評価項目が反映されたキャスティング評価画面が表示されるようにしてもよい。この場合、キャスティング評価部２２２は、キャスティング評価画面に反映されない評価項目については、算出する処理を実行しなくともよい。
【００４７】
なお、本実施形態のセンサユニット１００におけるセンサ１０１は、キャスティングによりスプール３０１から釣糸が放出されることにより発生する音を検出するようにしてよい。この場合、センサユニット１００は、センサ１０１により音を検出し、例えば検出した音の信号（オーディオ信号）を検出信号として通信部１０２から送信するように構成されてよい。この場合、ユーザ端末装置２００の周波数導出部２２１は、入力されたオーディオ信号の周波数を導出する。あるいは、センサユニット１００は、センサ１０１により音を検出したうえで、検出した音を振動に変換し、変換後の振動を示す信号を検出信号として通信部１０２から送信するように構成されてよい。
【００４８】
なお、本実施形態のキャスティング評価システムにおける魚釣用リールは、スプールから釣糸が放出されることに応じて周期的に振動が生じるようなものであれば、特に限定されない。
【００４９】
なお、上述のセンサユニット１００やユーザ端末装置２００等としての機能を実現するためのプログラムをコンピュータ読み取り可能な記録媒体に記録して、この記録媒体に記録されたプログラムをコンピュータシステムに読み込ませ、実行することにより上述のセンサユニット１００やユーザ端末装置２００等としての処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。なお、プログラムを複数に分割し、それぞれ異なるタイミングでダウンロードした後に端末装置で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムにすでに記録されているプログラムとの組み合わせで実現できるもの、いわゆる差分ファイル（差分プログラム）であってもよい。
【符号の説明】
【００５０】
１００  センサユニット、１０１  センサ、１０２  通信部、１５０  取付具、２００  ユーザ端末装置、２０１  通信部、２０２  制御部、２０３  表示部、２０４  操作部、２０５  記憶部、２２１  周波数導出部、２２２  キャスティング評価部、２２３  報知部、３００  スピニングリール、３０１  スプール、４００  釣竿、４０１  竿本体部、４０２  リール取付台座
【図１】
2020068736.tif 000003
【図２】
2020068736.tif 000004
【図３】
2020068736.tif 000005
【図４】
2020068736.tif 000006
【図５】
2020068736.tif 000007